【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
管状フレキシブルダクトを製造する装置であって、
マンドレルと、
可撓性のある基材からなるストリップを前記マンドレルに給送する基材給送手段と、
円筒形になった封入部を具えるように、前記基材からなるストリップをたわませる手段と、
密でない繊維状の絶縁材料の流れを前記円筒形になった封入部内へ給送する手段と、
前記マンドレルに長い補強要素を送出する手段と、
を備え、
作動時に、前記円筒形になった封入部および補強要素は、前記マンドレルの周りの螺旋状通路に巻き付けられて、その結果、前記密でない繊維状材料が、螺旋状に巻き付けられる、前記円筒形になった封入部内のコアとして封入され、これにより、補強された管状フレキシブルダクトが形成される装置。
【請求項２】
密でない繊維状材料の流れを給送する前記手段は、前記密でない繊維状材料が混入されるガス流用の送出管を含み、前記ガス流は、前記管の下流にコアの空洞を維持し、また、前記巻き付け中に前記コアの空洞を内側から支持し維持することにも役立つ請求項１に記載の装置。
【請求項３】
前記送出管は、前記円筒形になった封入部内にコアの空洞を画定するように配置され、その空洞を通って、前記ガス流が吹き込まれる請求項２に記載の装置。
【請求項４】
空気および繊維ポンプをさらに含み、当該空気および繊維ポンプは、前記ガス流、および混入される密でない繊維状材料を供給するように連結され、前記ポンプは、前記繊維状材料を受け入れ前記ガス流内へ移送する請求項２または３に記載の装置。
【請求項５】
前記ポンプは、複数のチャンバを有する要素を含み、当該要素は、第１の通路を通る前記繊維状材料からなる各繊維塊を前記チャンバが受け入れる第１のステーションと、第２の通路を通る前記ガス流内へ前記繊維塊が放出される第２のステーションとの間において、可動である請求項４に記載の装置。
【請求項６】
前記チャンバ内に前記各繊維塊を保持するのには十分だが前記チャンバを通る空気流はあまり遮断しないフィルタ要素を各チャンバ内にさらに含む請求項５に記載の装置。
【請求項７】
前記要素は、回転ドラムであり、前記ポンプは、ポートが一直線上に並べられた構造体をさらに含み、前記ポートは、前記第１および第２の通路を画定し、前記ドラムが回転すると、前記複数のチャンバにより順番に瞬間的に連結される請求項６に記載の装置。
【請求項８】
前記第１の通路内の繊維状材料を前記チャンバ内に引き入れるための真空ポンプ手段と、前記ガス流を前記第２の通路内に供給するブロア手段とをさらに含む請求項５、６または７に記載の装置。
【請求項９】
前記ガス流は、前記密でない繊維状材料の送出とは別に、前記円筒形になった封入部に供給される請求項２に記載の装置。
【請求項１０】
ガスを前記空洞に通過させ得ることにより前記コアの空洞のメンテナンスを容易にするように、前記可撓性のある基材からなるストリップに穿孔する手段をさらに含む請求項２から９のいずれかに記載の装置。
【請求項１１】
前記円筒形になった封入部が巻き付けられると、前記円筒形になった封入部の外側の面を延伸させるように加熱する手段が提供される請求項１から１０のいずれかに記載の装置。
【請求項１２】
前記加熱手段は、ヒーター要素からなるアレイを含み、当該ヒーター要素は、前記円筒形になった封入部に、前記螺旋状通路に入る前後に、所定の温度に加熱された空気を吹き付けるように配置される請求項１１に記載の装置。
【請求項１３】
前記円筒形になった封入部を形成する、基材からなるストリップをそれ自体に接合するように、前記基材からなる部分に接着剤を塗布する手段をさらに含む請求項１から１２のいずれかに記載の装置。
【請求項１４】
管状フレキシブルダクトを製造する方法であって、
可撓性のある基材からなる長いストリップを、円筒形になった封入部を具えるようにたわませている間に、当該ストリップを巻き付けステーションに給送するステップと、
密でない繊維状の絶縁材料からなる流れを前記円筒形になった封入部に給送するステップと、
前記巻き付けステーションに長い補強要素を送出するステップと、
前記密でない繊維状材料が、螺旋状に巻き付けられる円筒形になった封入部内のコアとして封入され、補強された管状フレキシブルダクトが形成されるように、前記円筒形になった封入部および前記補強要素を巻き付けステーションにおいて螺旋状通路内に巻き付けるステップと、
を含む方法。
【請求項１５】
前記密でない繊維状材料からなる流れを給送するステップは、ガス流中に前記材料を混入するステップを含み、これが、前記封入部の膨張を維持することに役立つ請求項１４に記載の方法。
【請求項１６】
前記ガス流は、前記送出管を介して送出される請求項１５に記載の方法。
【請求項１７】
前記送出管は、前記密でない繊維状材料が吹き込まれる前記円筒形になった封入部内に、コアの空洞を画定するように配置される請求項１６に記載の方法。
【請求項１８】
前記ガス流は、前記管の下流においてコアの空洞を維持し、また前記巻き付け中に前記コアの空洞を内側から支持し維持することに役立つ請求項１５から１７のいずれかに記載の方法。
【請求項１９】
前記可撓性のある基材は、ガスを前記空洞から通過させ得ることにより前記コアの空洞のメンテナンスを容易にするように、前記円筒形になる部分に穿孔が行われる請求項１７または１８に記載の方法。
【請求項２０】
前記円筒形になった封入部が巻き付けられると、前記円筒形になった封入部の外側の面を延伸させるために加熱が行われる請求項１４から１９のいずれかに記載の方法。
【請求項２１】
前記密でない繊維状の材料は、絶縁材料である請求項１４から２０のいずれかに記載の方法。
【請求項２２】
繊維状の材料からなるコアを封入するための、円筒形になった封入部を具えるように形成される、可撓性のある基材からなるストリップを含む管状フレキシブルダクト。
【請求項２３】
前記円筒形になった封入部は、前記管状ダクトを形成するように螺旋状に巻き付けられる請求項２２に記載の管状フレキシブルダクト。
【請求項２４】
前記管状ダクトは、螺旋状に巻き付けられる補強要素を含む請求項２２または２３に記載の管状フレキシブルダクト。
【請求項２５】
密でない繊維状の材料を混入するガス流を送出する装置であって、
複数のチャンバを有し、第１の通路を通る前記繊維状材料からなる各繊維塊を前記チャンバが受け入れる第１のステーションと、第２の通路内を通る前記ガス流内に前記繊維塊が放出される第２のステーションとの間において可動な要素を備える装置。
【請求項２６】
前記各繊維塊を前記チャンバ内に保持するのに十分だが前記チャンバ中の空気流をあまり遮断しないフィルタ要素を各チャンバ内にさらに含む請求項２５に記載の装置。
【請求項２７】
前記要素は、回転可能なドラムであり、当該ドラムは、一直線上に並べられて前記第１および第２の通路を画定するポートを有し、前記ドラムが回転すると、前記チャンバにより順に瞬間的に連結される構造体をさらに含む請求項２６に記載の装置。
【請求項２８】
前記第１の通路内において前記繊維状材料を前記チャンバ内に引き込む真空ポンプ手段と、前記ガス流を前記第２の通路内に供給するブロア手段とをさらに含む請求項２５、２６または２７に記載の装置。
【手続補正２】
【補正対象書類名】明細書
【補正対象項目名】００２５
【補正方法】変更
【補正の内容】
【００２５】
ストリップ１０４と、ワイヤ１１８と、絶縁コア１０９を封入する円筒形になった部分１０６との組立体は、マンドレル１３４に螺旋状に巻き付けられて、連続して巻き付けた部分が、フレキシブルダクト１０２を形成するように、隣り合わせになり結合する。ダクト１０２は、螺旋状の間隔が、封入された繊維材料１０８からなるコア１０９の外径より狭くなるように形成される。ダクトは、ロブスターの尾の外観にいくらか似ている。それぞれ連続して巻き付けた部分の、円筒形になった封入部１０６は、その前に巻き付けた部分の末端部１２８の上に部分的に重なり隣り合う。ワイヤ１１８が、これら２つの連続した末尾部同士の間に封入される。適切なアプリケータによりストリップ１０４に接着フィルム１１９を貼付することによって、円筒形になった封入部分のエッジリップ１０５が、接着フィルム１１９においてそれ自体の末端部に接着され、次に巻き付ける部分の、円筒形になった部分が、末端部に接着されることが保証される。連続して巻き付ける部分は、マイクロ波接合または他の加熱シール技術を用いることにより、交互に接着し得る。